(57)【特許請求の範囲】
【請求項１】
袋体を形成している表側胴部フィルムと裏側胴部フィルムとの上端部側に開口部を有するとともに、その袋体開口部側における前記両胴部フィルムの内面に開閉可能なチャックを備えていること、および、
前記一方の胴部フィルムにおける袋体開口部側の内面であって前記チャックよりも下方の位置には、イージーピールテープが前記袋体の幅方向にわたり設定されていること、および、
前記他方の胴部フィルムにおける袋体開口部側の内面であって前記イージーピールテープと対面する位置には、粘着帯層をなすイージーピール樹脂が前記袋体の幅方向にわたり設定されていること、および、
前記イージーピールテープと前記イージーピール樹脂とが剥離可能に粘着されるものであること
を前提とする合成樹脂製袋体において、
前記イージーピール樹脂の長さ方向と直交する幅方向を基準にして当該イージーピール樹脂よりも袋体開口部側に近い位置には、当該イージーピール樹脂に比し細幅であって当該イージーピール樹脂と平行する細幅粘着帯層が前記袋体の幅方向にわたり形成されているとともに、その細幅粘着帯層と当該イージーピール樹脂との間には、非粘着とするための隙間が介在していること、および、
前記イージーピールテープの長さ方向と直交するテープ幅を基準にした場合、前記非粘着とするための隙間がそのテープ幅の１／２未満のものであること、および、
前記イージーピールテープの長さ方向と直交するテープ幅をＷ１、そのテープ幅Ｗ１をこれよりも短い幅にするための短寸をＳ、前記隙間の幅と前記細幅粘着帯層の幅とを加えたものをＷ２、前記イージーピール樹脂であってその粘着帯層幅をＷ３とした場合、
Ｗ１＝Ｓ＋Ｗ２＋Ｗ３なる等式と、Ｗ１＞Ｗ３＞Ｗ２＞Ｓなる不等式とを満すものであること、および、
前記他方の胴部フィルム側にある前記短寸の部分、前記隙間、前記細幅粘着帯層、前記イージーピール樹脂を含めたもの全体が、前記一方の胴部フィルム側にある前記イージーピールテープと対面していること、および、
前記イージーピール樹脂と剥離可能に粘着される前記イージーピールテープについて、そのイージーピールテープの剥離力が、袋体開口部側からは弱くて袋体内部からは強いものであること
を特徴とする合成樹脂製袋体。
【請求項２】
袋体を形成している表側胴部フィルムと裏側胴部フィルムとの上端部側に開口部を有するとともに、その袋体開口部側における前記両胴部フィルムの内面に開閉可能なチャックを備えていること、および、
前記一方の胴部フィルムにおける袋体開口部側の内面であって前記チャックよりも下方の位置には、前記イージーピールテープが前記袋体の幅方向にわたり設定さられていること、および、
前記他方の胴部フィルムにおける袋体開口部側の内面であって前記イージーピールテープと対面する位置には、粘着帯層をなすイージーピール樹脂が前記袋体の幅方向にわたり設定されていること、および、
前記イージーピールテープと前記イージーピール樹脂とが剥離可能に粘着されるものであること
を前提とする合成樹脂製袋体において、
前記イージーピール樹脂の長さ方向と直交する幅方向を基準にして当該イージーピール樹脂よりも袋体開口部側に近い位置には、当該イージーピール樹脂に比し細幅であって当該イージーピール樹脂と隣接かつ平行する細幅粘着帯層が、鋸歯形状または複数の山形が並んだ形状で前記袋体の幅方向にわたり形成されているとともに、その細幅粘着帯層における前記イージーピールテープとの対向面側には、前記鋸歯形状または複数の山形が並んだ形状によるものであって非粘着とするための隙間が介在してその細幅粘着帯層の領域に重なり合っていること、および、
前記イージーピールテープの長さ方向と直交するテープ幅を基準にした場合、前記非粘着とするための隙間がそのテープ幅の１／２未満のものであること、および、
前記イージーピールテープの長さ方向と直交するテープ幅をＷ１、そのテープ幅Ｗ１をこれよりも短い幅にするための短寸をＳ、互いに重なり合った前記細幅粘着帯層の幅または前記隙間の幅をＷ２、前記イージーピール樹脂であってその粘着帯層幅をＷ３とした場合、
Ｗ１＝Ｓ＋Ｗ２＋Ｗ３なる等式と、Ｗ１＞Ｗ３＞Ｗ２＞Ｓなる不等式とを満すものであること、および、
前記他方の胴部フィルム側にある前記短寸Ｓの部分、互いに重なり合った前記隙間と前記細幅粘着帯層、前記イージーピール樹脂を含めたもの全体が、前記一方の胴部フィルム側にある前記イージーピールテープと対面していること、および、
前記イージーピール樹脂と剥離可能に粘着される前記イージーピールテープについて、そのイージーピールテープの剥離力が、袋体開口部側からは弱くて袋体内部からは強いものであること
を特徴とする合成樹脂製袋体。
【発明の詳細な説明】
【技術分野】
【０００１】
本発明は、袋体の開口部を再開閉するための雌雄咬合型チャックと、このチャックの下方に剥離性の粘着帯層による密閉手段を備えた合成樹脂製袋体に関するものである。
【背景技術】
【０００２】
図６で示すように袋体１の開口部２に開閉可能なチャック３を備え、このチャック３より下方に剥離性の粘着帯層８による密閉手段を前記チャック３と平行して設けた合成樹脂製袋体が提供されている。
【０００３】
前記粘着帯層８による密閉手段の目的は、チャック３が開いた状態であっても袋体内を気密状態を維持することや袋体内の包入物が液体あるいは水物の場合に液体が外部に浸出することを防止することである。
【０００４】
しかしながら、粘着帯層８による密閉手段は、いわゆるベタシールであり、強力な粘着力を有する粘着帯層８では、袋体内から外部への液体の浸出防止機能を有しているが、開口部２側からの粘着帯層８の剥離はチャック３側の端縁線上の粘着面積が大きい全面粘着となるため開口部２側からの粘着帯層８の剥離は容易ではないという問題を有する。
【０００５】
開口部２側からの粘着帯層８の剥離を容易にするには、粘着帯層８の粘着強度を１．０〜１．５ｋｇ／１５ｍｍとすることにより満足するが、粘着帯層８の両端のサイドシールとの重なり部分及び内容物側からの強度に対しては不足であり、従って、内容物の種類、重量、充填率等が限定されてしまう欠点がある。この欠点を解消するには粘着帯層８の粘着強度を２．０〜２．５ｋｇ／１５ｍｍ以上とすることで満足するが、上記のような問題を有することになる。
【特許文献１】実公昭６２−３８９２０公報
【特許文献２】特開平２−２４２７４８公報
【特許文献３】実開平６−１４０４４公報
【発明の開示】
【発明が解決しようとする課題】
【０００６】
本発明は、チャック下方に位置する剥離性の粘着帯層の粘着強度を高め、開口部側からの剥離を容易にし、かつ袋体内部からの剥離を防止した合成樹脂製袋体を提供することである。
【課題を解決するための手段】
【０００７】
<１>  上記の課題を解決するための本発明は、
袋体を形成している表側胴部フィルムと裏側胴部フィルムとの上端部側に開口部を有するとともに、その袋体開口部側における前記両胴部フィルムの内面に開閉可能なチャックを備えていること、および、
前記一方の胴部フィルムにおける袋体開口部側の内面であって前記チャックよりも下方の位置には、イージーピールテープが前記袋体の幅方向にわたり設定されていること、および、
前記他方の胴部フィルムにおける袋体開口部側の内面であって前記イージーピールテープと対面する位置には、粘着帯層をなすイージーピール樹脂が前記袋体の幅方向にわたり設定されていること、および、
前記イージーピールテープと前記イージーピール樹脂とが剥離可能に粘着されるものであること
を前提とする合成樹脂製袋体において、
前記イージーピール樹脂の長さ方向と直交する幅方向を基準にして当該イージーピール樹脂よりも袋体開口部側に近い位置には、当該イージーピール樹脂に比し細幅であって当該イージーピール樹脂と平行する細幅粘着帯層が前記袋体の幅方向にわたり形成されているとともに、その細幅粘着帯層と当該イージーピール樹脂との間には、非粘着とするための隙間が介在していること、および、
前記イージーピールテープの長さ方向と直交するテープ幅を基準にした場合、前記非粘着とするための隙間がそのテープ幅の１／２未満のものであること、および、
前記イージーピールテープの長さ方向と直交するテープ幅をＷ１、そのテープ幅Ｗ１をこれよりも短い幅にするための短寸をＳ、前記隙間の幅と前記細幅粘着帯層の幅とを加えたものをＷ２、前記イージーピール樹脂であってその粘着帯層幅をＷ３とした場合、
Ｗ１＝Ｓ＋Ｗ２＋Ｗ３なる等式と、Ｗ１＞Ｗ３＞Ｗ２＞Ｓなる不等式とを満すものであること、および、
前記他方の胴部フィルム側にある前記短寸の部分、前記隙間、前記細幅粘着帯層、前記イージーピール樹脂を含めたもの全体が、前記一方の胴部フィルム側にある前記イージーピールテープと対面していること、および、
前記イージーピール樹脂と剥離可能に粘着される前記イージーピールテープについて、そのイージーピールテープの剥離力が、袋体開口部側からは弱くて袋体内部からは強いものであること
を特徴とする。
<２>  上記の課題を解決するための本発明は、また、
袋体を形成している表側胴部フィルムと裏側胴部フィルムとの上端部側に開口部を有するとともに、その袋体開口部側における前記両胴部フィルムの内面に開閉可能なチャックを備えていること、および、
前記一方の胴部フィルムにおける袋体開口部側の内面であって前記チャックよりも下方の位置には、前記イージーピールテープが前記袋体の幅方向にわたり設定さられていること、および、
前記他方の胴部フィルムにおける袋体開口部側の内面であって前記イージーピールテープと対面する位置には、粘着帯層をなすイージーピール樹脂が前記袋体の幅方向にわたり設定されていること、および、
前記イージーピールテープと前記イージーピール樹脂とが剥離可能に粘着されるものであること
を前提とする合成樹脂製袋体において、
前記イージーピール樹脂の長さ方向と直交する幅方向を基準にして当該イージーピール樹脂よりも袋体開口部側に近い位置には、当該イージーピール樹脂に比し細幅であって当該イージーピール樹脂と隣接かつ平行する細幅粘着帯層が、鋸歯形状または複数の山形が並んだ形状で前記袋体の幅方向にわたり形成されているとともに、その細幅粘着帯層における前記イージーピールテープとの対向面側には、前記鋸歯形状または複数の山形が並んだ形状によるものであって非粘着とするための隙間が介在してその細幅粘着帯層の領域に重なり合っていること、および、
前記イージーピールテープの長さ方向と直交するテープ幅を基準にした場合、前記非粘着とするための隙間がそのテープ幅の１／２未満のものであること、および、
前記イージーピールテープの長さ方向と直交するテープ幅をＷ１、そのテープ幅Ｗ１をこれよりも短い幅にするための短寸をＳ、互いに重なり合った前記細幅粘着帯層の幅または前記隙間の幅をＷ２、前記イージーピール樹脂であってその粘着帯層幅をＷ３とした場合、
Ｗ１＝Ｓ＋Ｗ２＋Ｗ３なる等式と、Ｗ１＞Ｗ３＞Ｗ２＞Ｓなる不等式とを満すものであること、および、
前記他方の胴部フィルム側にある前記短寸Ｓの部分、互いに重なり合った前記隙間と前記細幅粘着帯層、前記イージーピール樹脂を含めたもの全体が、前記一方の胴部フィルム側にある前記イージーピールテープと対面していること、および、
前記イージーピール樹脂と剥離可能に粘着される前記イージーピールテープについて、そのイージーピールテープの剥離力が、袋体開口部側からは弱くて袋体内部からは強いものであること
を特徴とする。
【発明の効果】
【０００８】
本発明によると、剥離性のイージーピール樹脂の粘着帯層の粘着強度を高しても、内容物を出し入れする開口の際に粘着帯層が弱い力でイージーピールテープを剥離することができ、開口部の開口操作を円滑とし、袋体内部からの内容物等によるイージーピールテープの剥離を確実に防止する効果を有している。
【発明を実施するための最良の形態】
【０００９】
以下本発明を実施するための最良の形態を図面に基づいて説明する。図１において開口部２に開閉可能なチャック３を備えた表裏２枚の胴部フィルム１ａ、１ｂ（図２〜図５を参照）よりなる合成樹脂製袋体１（以下袋体１と略称する）において、前記チャック３より下方の一方の胴部フィルム１ａにイージーピールテープ４を設定し、他方の胴部フィルム１ｂには前記イージーピールテープ４と対面する粘着帯層をなすイージーピール樹脂５を設定し、このイージーピール樹脂５の粘着帯層の袋体開口側は前記イージーピールテープ４の長手方向と直交するテープ幅Ｗ１の１／２未満を非粘着６とするための隙間７（図２〜図５を参照）を形成し、前記イージーピール樹脂５はイージーピールテープ４の剥離力を開口部２側からは弱く、袋体内部からは強くしたものである。以下、その各種の実施例について図２〜図５で説明する。
【００１０】
第１実施例は図２で示すように、イージーピール樹脂５の粘着帯層の袋体開口側Ｗ２は前記イージーピールテープ４の長手方向と直交するテープ幅Ｗ１の１／２未満を非粘着６とするためにイージーピールテープ４のテープ幅Ｗ１の一端より袋体内部側に短寸Ｓだけ寄せた袋体開口側Ｗ２の範囲の一部に短い粘着帯層５ａを形成して粘着帯層が存在しない隙間７を形成し、袋体内部側の粘着帯層Ｗ３にてイージーピールテープ４を粘着するようにした構造である。
【００１１】
第２実施例は図３で示すように、上記第１実施例の設計変更であり、イージーピールテープ４のテープ幅Ｗ１の一端より袋体内部側に短寸Ｓだけ寄せた袋体開口側Ｗ２の範囲の一部に短い２山の粘着帯層５ｂを形成した構造である。
【００１２】
第３実施例は図４で示すように、イージーピール樹脂５の粘着帯層のイージーピールテープ４のテープ幅Ｗ１の一端より袋体内部側に短寸Ｓだけ寄せた袋体開口側Ｗ２の範囲に鋸歯形５ｇを形成し、この鋸歯形５ｇの底を隙間７とし、袋体内部側の粘着帯層Ｗ３にてイージーピールテープ４を粘着するようにした構造である。
【００１３】
第４実施例は図５で示すように、上記第７実施例の設計変更であり、イイージーピールテープ４のテープ幅Ｗ１の一端より袋体内部側に短寸Ｓだけ寄せた袋体開口側Ｗ２の範囲の鋸歯形５ｇを丸味の山形５ｈに形成し、袋体内部側の粘着帯層Ｗ３にてイージーピールテープ４を粘着するようにした構造である
【００１４】
本発明は上記の通りの構造であるから、第１実施例〜第４実施例の何れもイージーピールテープ４の剥離力は開口部側からは弱く、袋体内部からは強い状態となる。その根拠は、イージーピール樹脂５の粘着帯層の袋体開口側Ｗ２には隙間７によって開口部側のイージーピールテープ４は非粘着状態であり、袋体内部側は粘着帯層Ｗ３にて粘着されているためである。
【００１５】
また、上記の構造とした上で、胴部フィルム１ａ、１ｂにイージーピール樹脂５のチャック３側端縁若しくはイージーピールテープ４の袋体内部側を凹凸形状のシールを施すことによりイージーピールテープ４の剥離力は開口部側からは弱く、袋体内部からは強い状態の作用を相乗的に向上する。
【００１６】
例えば、図１で例示するようにイージーピール樹脂５のチャック３側端縁を三角の凹凸形状のシールを施すことにより粘着層面積が極めて小さい三角形の頂点からイージーピールテープ４の剥離が開始される。従って、簡単に剥離のきっかけができ、弱い力で剥離し容易に開口することができる。
【００１７】
また、イージーピール樹脂５の袋体内部側の粘着帯層Ｗ３は、粘着層面大きい線で剥離力を受けるため、チャック３側の端縁よりも高い強度が保持され内容物や内容物に含有する油性分などの液体の浸透による毛細現象による剥離を防止する。
【００１８】
このように本発明は、袋体１内の包入物が液体あるいは水物の場合に液体が外部に浸出することを確実に防止することができる上に、粘着帯層４の両端のサイドシールとの重なり部分の強度が十分に得られ、内容物の種類、重量、充填率等を限定することなく包入することができる。また、イージーピール樹脂５の粘着帯層は袋体開口側Ｗ２まで同一の厚さが不要となり、高価なイージーピール樹脂原料の使用量が節約されコストダウンを図ることができ、この種の従来の袋体における問題点を改善した効果大なる袋体を直ちに実現することが可能である。
【産業上の利用可能性】
【００１９】
本発明の袋体１は、上記のような液体や水物ので包入物の包入に適しているが、液体や水物以外の粉体や微粒体、その他各種の包入商品を包入する袋体にも適用することもできる。
【図面の簡単な説明】
【００２０】
【図１】本発明による袋体の要部の正面図
【図２】本発明による第１実施例を示す断面図
【図３】本発明による第２実施例を示す図１のＡ−Ａ断面図
【図４】本発明による第３実施例を示す図１のＡ−Ａ断面図
【図５】本発明による第４実施例を示す図１のＡ−Ａ断面図
【図６】従来の粘着帯層を備えた袋体の要部の正面図
【符号の説明】
【００２１】
１    合成樹脂製袋体
１ａ  表側胴部フィルム
１ｂ  裏側胴部フィルム
２    開口部
３    チャック
４    イージーピールテープ
５    イージーピール樹脂
５ａ  細幅の粘着帯層
５ｂ  細幅の粘着帯層
５ｇ  細幅の粘着帯層
５ｈ  細幅の粘着帯層
６    非粘着
７    隙間
Ｓ    短寸
Ｗ１  イージーピールテープのテープ幅
Ｗ２  隙間の幅と細幅粘着帯層の幅とを加えたもの
Ｗ３  イージーピール樹脂の粘着帯層幅
【図１】
0005197921.tif 000002
【図２】
0005197921.tif 000003
【図３】
0005197921.tif 000004
【図４】
0005197921.tif 000005
【図５】
0005197921.tif 000006
【図６】
0005197921.tif 000007